(57)【要約】  着用されたときにずれる傾向を低下させた吸収性物品。吸収性物品は、前部腰部分と、クロッチ部分と、背部腰部分と、を有するシャーシを含む。サイドパネル又は耳部はシャーシの前部腰部分及び背部腰部分に取り付けられており、固定部品は後耳部に取り付けられている。すべり止め要素は、例えばエラストマーストリップを実質的に垂直方向に適用することにより、前部サイドパネル若しくは耳部の外部表面及び／若しくは内部表面に、及び／又は固定タブの内部表面に付加されている。後耳部の固定部品を吸収性物品の前部腰部分に取り付けて吸収性物品が着用者に固定されると、すべり止め要素は前部腰部分、前耳部及び／又は着用者と接続して摩擦を作用し、それにより、固定された吸収性物品のずれを低減する。
2018518321.tif 000002
【特許請求の範囲】
【請求項１】
長手方向軸線及び横方向軸線を有する吸収性物品であって、
第１の背部長手方向側縁部及び第２の背部長手方向側縁部を有する背部腰部分と、
前記背部腰部分の前記第１の背部長手方向側縁部から外側に延びる第１背部サイドパネルと、
前記背部腰部分の前記第２の背部長手方向側縁部から外側に延びる第２背部サイドパネルと、
第１の前部長手方向側縁部及び第２の前部長手方向側縁部を有する前部腰部分と、
前記前部腰部分の前記第１の前部長手方向側縁部から外側に延びる第１前部サイドパネルであって、前記第１前部サイドパネルは第１すべり止め要素を含み、前記第１すべり止め要素は前記第１前部サイドパネルの外側に面する部分に配置されており、当該吸収性物品が固定された形態にあるとき、前記第１背部サイドパネル及び前記背部腰部分のうちの少なくとも１つの内側に面する部分に接触している、第１前部サイドパネルと、
前記前部腰部分の前記第２の前部長手方向側縁部から外側に延びる第２前部サイドパネルであって、前記第２前部サイドパネルは第２すべり止め要素を含み、前記第２すべり止め要素は前記第２前部サイドパネルの外側に面する部分に配置されており、当該吸収性物品が固定された形態にあるとき、前記第２背部サイドパネル及び前記背部腰部分のうちの少なくとも１つの内側に面する部分に接触している、第２前部サイドパネルと、
前記前部腰部分と前記背部腰部分との間に長手方向に延びるクロッチ部分と、
を含む、吸収性物品。
【請求項２】
当該吸収性物品が固定された形態にあるとき、
前記第１すべり止め要素は前記第１背部サイドパネルの前記内側に面する部分に接触しており、
前記第２すべり止め要素は前記第２背部サイドパネルの前記内側に面する部分に接触している、請求項１に記載の吸収性物品。
【請求項３】
前記第１すべり止め要素は前記背部腰部分の前記内側に面する部分にも接触している、請求項２に記載の吸収性物品。
【請求項４】
前記第２すべり止め要素は前記背部腰部分の前記内側に面する部分にも接触している、請求項２に記載の吸収性物品。
【請求項５】
前記第１背部サイドパネルから外側に延びる第１固定タブであって、前記第１固定タブは、前記第１固定タブを前記前部腰部分及び前記第１前部サイドパネルのうちの少なくとも１つに固定するための第１固定部品を含む、第１固定タブと、
前記第２背部サイドパネルから外側に延びる第２固定タブであって、前記第２固定タブは、前記第２固定タブを前記前部腰部分及び前記第２前部サイドパネルのうちの少なくとも１つに固定するための第２固定部品を含む、第２固定タブと、
を更に含む、請求項１に記載の吸収性物品。
【請求項６】
第３すべり止め要素であって、前記第３すべり止め要素は、前記第１固定タブが固定された形態にあるときに前記第３すべり止め要素が前記第１腰部分及び前記第１前部サイドパネルのうちの少なくとも１つの外側に面する部分に接触するように、前記第１固定タブの内側に面する部分に配置されている、第３すべり止め要素と、
第４すべり止め要素であって、前記第４すべり止め要素は、前記第２固定タブが固定された形態にあるときに前記第４すべり止め要素が前記前部腰部分及び前記第２前部サイドパネルのうちの少なくとも１つの外側に面する部分に接触するように、前記第２固定タブの内側に面する部分に配置されている、第４すべり止め要素と、
を更に含む、請求項５に記載の吸収性物品。
【請求項７】
前記第１すべり止め要素及び前記第２すべり止め要素のそれぞれは、当該吸収性物品が装着されているとき、前記第１背部サイドパネル、第２背部サイドパネル、及び前記背部腰部分のうちの少なくとも１つと、前記前部腰部分との間の相対運動を低減するのに十分な摩擦係数を有する、請求項１に記載の吸収性物品。
【請求項８】
前記第１すべり止め要素及び前記第２すべり止め要素のうちの少なくとも１つはエラストマーを含む、請求項７に記載の吸収性物品。
【請求項９】
前記第１すべり止め要素及び前記第２すべり止め要素のうちの少なくとも１つは、前記第１すべり止め要素及び前記第２すべり止め要素のうちの少なくとも１つが配置されている前記前部サイドパネルの長さの約２５〜１００％に延びている、請求項１に記載の吸収性物品。
【請求項１０】
前記第１すべり止め要素及び前記第２すべり止め要素のうちの少なくとも１つは、前記第１すべり止め要素及び前記第２すべり止め要素のうちの少なくとも１つが配置されている前記前部サイドパネルの全幅未満に延びている、請求項１に記載の吸収性物品。
【請求項１１】
前記第１すべり止め要素及び前記第２すべり止め要素のうちの少なくとも１つは、当該吸収性物品の前記長手方向軸線に沿って概ね配置されたすべり止め材料の少なくとも１つのストリップを含む、請求項１に記載の吸収性物品。
【請求項１２】
前記少なくとも１つのストリップは、すべり止め材料の連続的なストリップを含む、請求項１１に記載の吸収性物品。
【請求項１３】
前記少なくとも１つのストリップは、すべり止め材料の分断されたストリップを含む、請求項１１に記載の吸収性物品。
【請求項１４】
前記少なくとも１つのストリップは、すべり止め材料の正弦波形状のストリップを含む、請求項１１に記載の吸収性物品。
【請求項１５】
前記少なくとも１つのストリップは、すべり止め材料のジグザグ形状のストリップを含む、請求項１１に記載の吸収性物品。
【請求項１６】
前記すべり止め材料の少なくとも１つのストリップは、すべり止め材料の複数のストリップを含む、請求項１１に記載の吸収性物品。
【請求項１７】
前記すべり止め材料の複数のストリップは互いに平行である、請求項１６に記載の吸収性物品。
【請求項１８】
前記すべり止め材料の複数のストリップは互いに均等な間隔で配されている、請求項１６に記載の吸収性物品。
【請求項１９】
前記第１すべり止め要素及び前記第２すべり止め要素のうちの少なくとも１つは、当該吸収性物品の前記長手方向軸線に対して対角に概ね配置されたすべり止め材料の少なくとも１つのストリップを含む、請求項１に記載の吸収性物品。
【請求項２０】
第３すべり止め要素であって、前記第１固定タブが固定された形態にあるとき、前記第３すべり止め要素が当該吸収性物品の着用者の皮膚に接触するように前記第１前部サイドパネルの内側に面する部分に配置されている、第３すべり止め要素と、
第４すべり止め要素であって、前記第２固定タブが固定された形態にあるとき、前記第４すべり止め要素が当該吸収性物品の着用者の皮膚に接触するように前記第２前部サイドパネルの内側に面する部分に配置されている、第４すべり止め要素と、
を更に含む、請求項１に記載の吸収性物品。
【請求項２１】
前記第１すべり止め要素及び前記第２すべり止め要素のうちの少なくとも１つは、前記第１すべり止め要素及び前記第２すべり止め要素のうちの少なくとも１つの対応する前部サイドパネルと一体形成されている、請求項１に記載の吸収性物品。
【請求項２２】
前記第３すべり止め要素は前記第１固定タブと一体形成されている、請求項６に記載の吸収性物品。
【請求項２３】
前記第４すべり止め要素は前記第２固定タブと一体形成されている、請求項６に記載の吸収性物品。
【請求項２４】
前記第１すべり止め要素は、当該吸収性物品が固定された形態にあるとき、前記第１背部サイドパネル及び前記背部腰部分のうち少なくとも１つと、前記第１前部サイドパネルとの間の保持力をほぼ２倍にする、請求項１に記載の吸収性物品。
【請求項２５】
前記第２すべり止め要素は、当該吸収性物品が固定された形態にあるとき、第２背部サイドパネル及び前記背部腰部分のうちの少なくとも１つと、第２前部サイドパネルとの間の前記保持力をほぼ２倍にする、請求項１に記載の吸収性物品。
【請求項２６】
長手方向軸線及び横方向軸線を有する吸収性物品であって、
第１の前部長手方向側縁部及び第２の前部長手方向側縁部を有する前部腰部分と、
前記前部腰部分の前記第１の前部長手方向側縁部から外側に延びる第１前部サイドパネルと、
前記前部腰部分の第２の前部長手方向側縁部から外側に延びる第２前部サイドパネルと、
第１の背部長手方向側縁部及び第２の背部長手方向側縁部を有する背部腰部分と、
前記背部腰部分の前記第１の背部長手方向側縁部から外側に延びる第１背部サイドパネルと、
前記背部腰部分の第２の背部長手方向側縁部から外側に延びる第２背部サイドパネルと、
前記第１背部サイドパネルから外側に延びる第１固定タブであって、前記第１固定タブは、前記第１固定タブを前記前部腰部分及び前記第１前部サイドパネルのうちの少なくとも１つに固定するための第１固定部品と、第１すべり止め要素であって、前記第１固定タブが固定された形態にあるときに前記第１すべり止め要素が前記前部腰部分及び前記第１前部サイドパネルのうちの少なくとも１つの外側に面する部分に接触するように、前記第１固定タブの内側に面する部分に配置されている、第１すべり止め要素と、を含む、第１固定タブと、
前記第２背部サイドパネルから外側に延びる第２固定タブであって、前記第２固定タブは、前記第２固定タブを前記前部腰部分及び前記第２前部サイドパネルのうちの少なくとも１つに固定するための第２固定部品と、第２すべり止め要素であって、第２固定タブが固定された形態にあるときに前記第２すべり止め要素が前記前部腰部分及び前記第２前部サイドパネルのうちの少なくとも１つの外側に面する部分に接触するように、前記第２固定タブの内側に面する部分に配置されている、第２すべり止め要素と、を含む、第２固定タブと、
前記前部腰部分と前記背部腰部分との間に長手方向に延びるクロッチ部分と、
を含む、吸収性物品。
【請求項２７】
当該吸収性物品が固定された形態にあるとき、
前記第１すべり止め要素が前記第１前部サイドパネルの前記外側に面する部分に接触しており、
前記第２すべり止め要素が前記第２前部サイドパネルの前記外側に面する部分に接触している、請求項２６に記載の吸収性物品。
【請求項２８】
前記第１すべり止め要素は前記前部腰部分の前記外側に面する部分にも接触している、請求項２６に記載の吸収性物品。
【請求項２９】
前記第２すべり止め要素は前記前部腰部分の前記外側に面する部分にも接触している、請求項２６に記載の吸収性物品。
【請求項３０】
第３すべり止め要素であって、前記第３すべり止め要素は、当該吸収性物品が固定された形態にあるときに前記第３すべり止め要素が前記第１背部サイドパネル及び前記背部腰部分のうちの少なくとも１つの内側に面する部分に接触するように、前記第１前部サイドパネルの外側に面する部分に配置されている、第３すべり止め要素を更に含む、請求項２６に記載の吸収性物品。
【請求項３１】
第４すべり止め要素であって、前記第４すべり止め要素は、当該吸収性物品が固定された形態にあるとき、前記第４すべり止め要素が前記第２背部サイドパネル及び前記背部腰部分のうちの少なくとも１つの内側に面する部分に接触するように、前記第２前部サイドパネルの外側に面する部分に配置されている、第４すべり止め要素を更に含む、請求項３０に記載の吸収性物品。
【請求項３２】
前記第１すべり止め要素及び前記第２すべり止め要素のそれぞれは、当該吸収性物品が装着されているとき、前記第１のファスナータブ及び前記第２ファスナータブのうちの少なくとも１つと、前記前部腰部分との間の相対運動を低減するのに十分な摩擦係数を有する、請求項２６に記載の吸収性物品。
【請求項３３】
前記第１すべり止め要素及び前記第２すべり止め要素のうちの少なくとも１つはエラストマーを含む、請求項３２に記載の吸収性物品。
【請求項３４】
前記第１すべり止め要素及び前記第２すべり止め要素のうちの少なくとも１つは、前記第１すべり止め要素及び前記第２すべり止め要素のうちの少なくとも１つが配置されている前記ファスナータブの長さの約２５〜１００％に延びている、請求項２６に記載の吸収性物品。
【請求項３５】
前記第１すべり止め要素及び前記第２すべり止め要素のうちの少なくとも１つは、前記第１すべり止め要素及び前記第２すべり止め要素のうちの少なくとも１つが配置されている前記ファスナータブの全幅未満に延びている、請求項２６に記載の吸収性物品。
【請求項３６】
前記第１すべり止め要素及び前記第２すべり止め要素のうちの少なくとも１つは、当該吸収性物品の前記長手方向軸線に沿って概ね配置されたすべり止め材料の少なくとも１つのストリップを含む、請求項２６に記載の吸収性物品。
【請求項３７】
前記少なくとも１つのストリップは、すべり止め材料の連続的なストリップを含む、請求項３６に記載の吸収性物品。
【請求項３８】
前記少なくとも１つのストリップは、すべり止め材料の分断されたストリップを含む、請求項３６に記載の吸収性物品。
【請求項３９】
前記少なくとも１つのストリップは、すべり止め材料の正弦波形状のストリップを含む、請求項３６に記載の吸収性物品。
【請求項４０】
前記少なくとも１つのストリップは、すべり止め材料のジグザグ形状のストリップを含む、請求項３６に記載の吸収性物品。
【請求項４１】
前記すべり止め材料の少なくとも１つのストリップは、すべり止め材料の複数のストリップを含む、請求項３６に記載の吸収性物品。
【請求項４２】
前記すべり止め材料の複数のストリップは互いに平行である、請求項４１に記載の吸収性物品。
【請求項４３】
前記すべり止め材料の複数のストリップは互いに均等な間隔で配されている、請求項４１に記載の吸収性物品。
【請求項４４】
前記第１すべり止め要素及び前記第２すべり止め要素のうちの少なくとも１つは、当該吸収性物品の前記長手方向軸線に対して対角に概ね配置されたすべり止め材料の少なくとも１つのストリップを含む、請求項２６に記載の吸収性物品。
【請求項４５】
第３すべり止め要素であって、前記第１固定タブが固定された形態にあるときに前記第３すべり止め要素が当該吸収性物品の着用者の皮膚に接触するように前記第１前部サイドパネルの内側に面する部分に配置されている、第３すべり止め要素と、
第４すべり止め要素であって、前記第２固定タブが固定された形態にあるとき、前記第４すべり止め要素が当該吸収性物品の着用者の皮膚に接触するように第２前部サイドパネルの内側に面する部分に配置されている、第４すべり止め要素と、
を更に含む、請求項２６に記載の吸収性物品。
【請求項４６】
前記第１すべり止め要素及び前記第２すべり止め要素のうちの少なくとも１つは、前記第１すべり止め要素及び前記第２すべり止め要素のうちの少なくとも１つの対応する固定タブと一体形成されている、請求項２６に記載の吸収性物品。
【請求項４７】
前記第３すべり止め要素は前記第１固定タブと一体形成されている、請求項３０に記載の吸収性物品。
【請求項４８】
前記第４すべり止め要素は前記第２固定タブと一体形成されている、請求項３１に記載の吸収性物品。
【発明の詳細な説明】
【技術分野】
【０００１】
関連出願の相互参照
本出願は、２０１５年６月２６日に出願された米国特許仮出願第６２／１８５，３０５号明細書の利益及び優先権を主張する。同内容は参照により、本明細書中に完全に説明するかのごとく組み込まれる。
【０００２】
本発明は、全般的に、使い捨ておむつなどの使い捨て吸収性物品に関し、より具体的には、着用されたときのおむつのずれを制限するために耳部及び／又は固定タブに適用されるすべり止め材料を有するおむつに関する。
【背景技術】
【０００３】
乳児及び他の失禁症状のある者は、体から排出される身体滲出物、特に尿を吸収し且つ閉じ込めるためにおむつなどの使い捨て吸収性物品を着用する。吸収性物品は、排出された物質を、一方の側では着用者の体から、他方の側では着用者の衣服及び／又は寝具から隔離して閉じ込めるように機能する。吸収性物品は当該技術分野において周知であり、通常、おむつへの液体の通過を可能にする液体及び蒸気透過性材料と、おむつから液体が出るのを防ぐ液体及び蒸気不透過性材料との組み合わせから構成されている。
【０００４】
従来の使い捨ておむつは背部腰部分に耳部とも称されるサイドパネルを有する。使い捨ておむつの後耳部に取り付けられたファスナー（固定タブとも称される）が着用者の腰前部に向かって巻き付けられ、おむつの前部腰部分に沿って固定される。この構成は滲出物の通過を防止するためには良好に機能する。しかしながら、従来のおむつは、着用者に固定された後に初期位置からずれることがある。おむつのずれは着用者にとって不快となる可能性があり、いくらかの滲出物のだれ及び漏れが生じる可能性がある。
【発明の概要】
【発明が解決しようとする課題】
【０００５】
本発明の目的は、着用されている最中にずれない吸収性物品を提供することである。また、本発明の目的は、吸収性物品が着用されている最中の吸収性物品のずれを低減することである。
【課題を解決するための手段】
【０００６】
本発明の例示的実施形態によれば、吸収性物品は、吸収性物品が装着されているとき着用者の体に面する内部表面と、内部表面の反対側の外部表面と、を有する。吸収性物品はシャーシを含み、シャーシは前部腰部分を有し、前部腰部分は一方の側に第１前耳部、他方の側に第２前耳部を備える。吸収性物品は、また、背部腰部分を有し、背部腰部分は、一方の側に第１後耳部、他方の側に第２後耳部を含む。吸収性物品でできたクロッチ部分は、前部腰部分と背部腰部分との間に長手方向に延びる。シャーシは、液体透過性トップシートと、少なくとも一部分が液体不透過性であるバックシートと、トップシートとバックシートとの間に配置された吸収性コアと、を含む。吸収性物品は、前部腰部分にそれぞれ取り付けて着用者の腰の周りに吸収性物品を固定するための、第１後耳部に取り付けられた第１固定部品と、第２後耳部に取り付けられた第２固定部品と、を更に含む。
【０００７】
加えて、吸収性物品はすべり止め要素を含む。実施形態では、第１すべり止め要素は第１前耳部の外側に面する部分（即ち、外衣の方に面する）に沿って配置されていてもよく、第２すべり止め要素は第２前耳部の外側に面する部分に沿って配置されていてもよい。あるいは又は加えて、すべり止め要素は、第１及び第２前耳部の内側に面する部分に付加してもよい。
【０００８】
物品が着用されているときのずれ及び下がりを更に防ぐために、後耳部に取り付けられた固定タブの内部表面上にすべり止め要素が含まれていてもよい。固定タブの内部表面上のすべり止め要素は、前耳部上のすべり止め要素に追加されるものであってもよく、前耳部上のすべり止め要素の代替となるものであってもよい。
【０００９】
実施形態では、第１すべり止め要素及び第２すべり止め要素は、単数のストリップ又は複数のストリップとして略垂直方向に配置されていてもよく、前耳部の長さの約２５〜１００％を覆っていてもよい。例えば、すべり止め要素は、吸収性物品の各前耳部の実質的に頂部から底部まで延びていてもよい。ストリップは、吸収性物品の各前耳部の一部分のみを覆うように幅が限定されていてもよい。更に、ストリップは連続的であっても分断されていてもよい。
【００１０】
実施形態では、すべり止め要素はエラストマーを含む。このエラストマーは、吸収性物品が装着されているとき、後耳部及び／又は背部腰部分に対する前部腰部分の動きを低減する高摩擦係数を有する。このようにして、着用者に固定されたときの吸収性物品の望ましくないずれが低減される。
【００１１】
例示的実施形態では、吸収性物品は長手方向軸線及び横方向軸線を有し、第１の背部長手方向側縁部及び第２の背部長手方向側縁部を有する背部腰部分と、背部腰部分の第１の背部長手方向側縁部から外側に延びる第１背部サイドパネルと、背部腰部分の第２の背部長手方向側縁部から外側に延びる第２背部サイドパネルと、第１の前部長手方向側縁部及び第２の前部長手方向側縁部を有する前部腰部分と、前部腰部分の第１の前部長手方向側縁部から外側に延びる第１前部サイドパネルであって、第１前部サイドパネルは第１すべり止め要素を含み、第１すべり止め要素は第１前部サイドパネルの外側に面する部分に配置されており、吸収性物品が固定された形態にあるとき、第１背部サイドパネル及び背部腰部分のうちの少なくとも１つの内側に面する部分に接触している、第１前部サイドパネルと、前部腰部分の第２の前部長手方向側縁部から外側に延びる第２前部サイドパネルであって、第２前部サイドパネルは第２すべり止め要素を含み、第２すべり止め要素は第２前部サイドパネルの外側に面する部分に配置されており、吸収性物品が固定された形態にあるとき、第２背部サイドパネル及び背部腰部分のうちの少なくとも１つの内側に面する部分に接触している、第２前部サイドパネルと、前部腰部分と背部腰部分との間に長手方向に延びるクロッチ部分と、を含む。
【００１２】
吸収性物品が固定された形態にあるとき、第１すべり止め要素は第１背部サイドパネルの内側に面する部分に接触していてもよく、第２すべり止め要素は第２背部サイドパネルの内側に面する部分に接触していてもよい。第１すべり止め要素は、また、背部腰部分の内側に面する部分に接触していてもよく、第２すべり止め要素は、また、背部腰部分の内側に面する部分に接触していてもよい。
【００１３】
吸収性物品は、第１背部サイドパネルから外側に延びる第１固定タブであって、第１固定タブは、第１固定タブを前部腰部分及び第１前部サイドパネルのうちの少なくとも１つに固定するための第１固定部品を有する、第１固定タブと、第２背部サイドパネルから外側に延びる第２固定タブであって、第２固定タブは、第２固定タブを前部腰部分及び第２前部サイドパネルのうちの少なくとも１つに固定するための第２固定部品を有する、第２固定タブと、を更に含んでもよい。
【００１４】
吸収性物品は、第３すべり止め要素であって、第３すべり止め要素は、第１固定タブが固定された形態にあるときに第３すべり止め要素が第１腰部分及び第１前部サイドパネルのうちの少なくとも１つの外側に面する部分に接触するように、第１固定タブの内側に面する部分に配置されている、第３すべり止め要素と、第４すべり止め要素であって、第４すべり止め要素は、第２固定タブが固定された形態にあるときに第４すべり止め要素が前部腰部分及び第２前部サイドパネルのうちの少なくとも１つの外側に面する部分に接触するように、第２固定タブの内側に面する部分に配置されている、第４すべり止め要素と、を更に含んでもよい。
【００１５】
本発明の例示的実施形態によれば、第１すべり止め要素及び第２すべり止め要素のそれぞれは、吸収性物品が装着されているときにおける第１背部サイドパネル、第２背部サイドパネル、及び背部腰部分のうちの少なくとも１つと、前部腰部分との間の相対運動を低減するのに十分な摩擦係数を有する。第１すべり止め要素及び第２すべり止め要素のうちの少なくとも１つはエラストマーであってもよい。
【００１６】
本発明の実施形態によれば、第１すべり止め要素及び第２すべり止め要素のうちの少なくとも１つは、第１すべり止め要素及び第２すべり止め要素のうちの少なくとも１つが配置されている前部サイドパネルの長さの約２５〜１００％に延びていてもよい。本発明の他の例示的実施形態によれば、第１すべり止め要素及び第２すべり止め要素のうちの少なくとも１つは、第１すべり止め要素及び第２すべり止め要素のうちの少なくとも１つが配置されている前部サイドパネルの全幅未満に延びていてもよい。
【００１７】
本発明による他の実施形態では、吸収性物品は、第３すべり止め要素であって、第１固定タブが固定された形態にあるときに第３すべり止め要素が吸収性物品の着用者の皮膚に接触するように第１前部サイドパネルの内側に面する部分に配置されている、第３すべり止め要素と、第４すべり止め要素であって、第２固定タブが固定された形態にあるときに第４すべり止め要素が吸収性物品の着用者の皮膚に接触するように第２前部サイドパネルの内側に面する部分に配置されている、第４すべり止め要素と、を更に含んでもよい。
【００１８】
本発明による更に他の実施形態では、第１すべり止め要素及び第２すべり止め要素のうちの少なくとも１つはその対応する前部サイドパネルと一体形成されていてもよく、第３すべり止め要素は第１固定タブと一体形成されていてもよく、第４すべり止め要素は第２固定タブと一体形成されていてもよい。
【００１９】
本発明による実施形態では、第１すべり止め要素は、吸収性物品が固定された形態にあるとき、第１前部サイドパネルと、第１背部サイドパネル及び背部腰部分のうち少なくとも１つとの間の保持力をほぼ２倍にし、第２すべり止め要素は、吸収性物品が固定された形態にあるとき、第２前部サイドパネルと第２背部サイドパネル及び背部腰部分のうちの少なくとも１つとの間の保持力をほぼ２倍にする。
【００２０】
本発明による別の例示的実施形態では、吸収性物品は長手方向軸線及び横方向軸線を有し、第１の前部長手方向側縁部及び第２の前部長手方向側縁部を有する前部腰部分と、前部腰部分の第１の前部長手方向側縁部から外側に延びる第１前部サイドパネルと、前部腰部分の第２の前部長手方向側縁部から外側に延びる第２前部サイドパネルと、第１の背部長手方向側縁部及び第２の背部長手方向側縁部を有する背部腰部分と、背部腰部分の第１の背部長手方向側縁部から外側に延びる第１背部サイドパネルと、背部腰部分の第２の背部長手方向側縁部から外側に延びる第２背部サイドパネルと、第１背部サイドパネルから外側に延びる第１固定タブであって、第１固定タブは、第１固定タブを前部腰部分及び第１前部サイドパネルのうちの少なくとも１つに固定するための第１固定部品と、第１すべり止め要素であって、第１固定タブが固定された形態にあるときに第１すべり止め要素が前部腰部分及び第１前部サイドパネルのうちの少なくとも１つの外側に面する部分に接触するように、第１固定タブの内側に面する部分に配置されている、第１すべり止め要素と、を含む、第１固定タブと、第２背部サイドパネルから外側に延びる第２固定タブであって、第２固定タブは、第２固定タブを前部腰部分及び第２前部サイドパネルのうちの少なくとも１つに固定するための第２固定部品と、第２すべり止め要素であって、第２固定タブが固定された形態にあるときに第２すべり止め要素が前部腰部分及び第２前部サイドパネルのうちの少なくとも１つの外側に面する部分に接触するように、第２固定タブの内側に面する部分に配置されている、第２すべり止め要素と、を含む、第２固定タブと、前部腰部分と背部腰部分との間に長手方向に延びるクロッチ部分と、を含む。
【００２１】
吸収性物品が固定された形態にあるとき、第１すべり止め要素は第１前部サイドパネルの外側に面する部分に接触していてもよく、第２すべり止め要素は第２前部サイドパネルの外側に面する部分に接触していてもよい。第１すべり止め要素は、また、前部腰部分の外側に面する部分に接触していてもよく、第２すべり止め要素は、また、前部腰部分の外側に面する部分に接触していてもよい。
【００２２】
吸収性物品は、第３すべり止め要素を更に含んでもよく、第３すべり止め要素は、吸収性物品が固定された形態にあるときに第３すべり止め要素が第１背部サイドパネル及び背部腰部分のうちの少なくとも１つの内側に面する部分に接触するように、第１前部サイドパネルの外側に面する部分に配置されている。吸収性物品は、第４すべり止め要素をまた更に含んでもよく、第４すべり止め要素は、吸収性物品が固定された形態にあるときに第４すべり止め要素が第２背部サイドパネル及び背部腰部分のうちの少なくとも１つの内側に面する部分に接触するように、第２前部サイドパネルの外側に面する部分に配置されている。
【００２３】
本発明による実施形態では、第１すべり止め要素及び第２すべり止め要素のそれぞれは、吸収性物品が装着されているときに、第１ファスナータブ及び第２ファスナータブのうちの少なくとも１つと、前部腰部分との間の相対運動を低減するのに十分な摩擦係数を有する。第１すべり止め要素及び第２すべり止め要素のうちの少なくとも１つはエラストマーを含んでもよい。
【００２４】
本発明による他の実施形態では、第１すべり止め要素及び第２すべり止め要素のうちの少なくとも１つは、第１すべり止め要素及び第２すべり止め要素のうちの少なくとも１つが配置されているファスナータブの長さの約２５〜１００％に延びていてもよい。本発明による他の実施形態では、第１すべり止め要素及び第２すべり止め要素のうちの少なくとも１つは、第１すべり止め要素及び第２すべり止め要素のうちの少なくとも１つが配置されているファスナータブの全幅未満に延びている。
【００２５】
本発明による更に他の実施形態では、吸収性物品は、第３すべり止め要素であって、第１固定タブが固定された形態にあるときに第３すべり止め要素が吸収性物品の着用者の皮膚に接触するように第１前部サイドパネルの内側に面する部分に配置されている、第３すべり止め要素と、第４すべり止め要素であって、第２固定タブが固定された形態にあるときに第４すべり止め要素が吸収性物品の着用者の皮膚に接触するように第２前部サイドパネルの内側に面する部分に配置されている、第４すべり止め要素と、を更に含んでもよい。
【００２６】
本発明による更に他の実施形態では、第１すべり止め要素及び第２すべり止め要素のうちの少なくとも１つはその対応する固定タブと一体形成されていてもよく、第３すべり止め要素は第１固定タブと一体形成されていてもよく、第４すべり止め要素は第２固定タブと一体形成されていてもよい。
【００２７】
本発明による実施形態では、第１すべり止め要素及び第２すべり止め要素のうちの少なくとも１つは、吸収性物品の長手方向軸線に沿って概ね配置されたすべり止め材料の少なくとも１つのストリップを含んでもよい。すべり止め材料のストリップは、連続的なストリップ、分断されたストリップ、正弦波形状のストリップ、又はジグザグ形状のストリップを含んでもよい。すべり止め材料の少なくとも１つのストリップは、また、すべり止め材料の複数のストリップを含んでもよい。複数のストリップは互いに平行であってもよく、互いに均等な間隔で配されていてもよい。
【００２８】
本発明による他の実施形態では、第１すべり止め要素及び第２すべり止め要素のうちの少なくとも１つは、吸収性物品の長手方向軸線に対して対角に概ね配置されたすべり止め材料の少なくとも１つのストリップも含んでよい。
【００２９】
本発明の他の特徴及び利点は、以下の詳細な説明、添付の図面、及び添付の特許請求の範囲からすぐに明らかとなろう。
【００３０】
本発明の上記の及び関連する対象、特徴及び利点は、本発明の好適ではあるが例証的な実施形態の以下の詳細な説明を添付の図と併せて解釈し、参照することによってより完全に理解されよう。
【図面の簡単な説明】
【００３１】
【図１】本発明の例示的実施形態による吸収性物品の内部表面の等角図である。
【図２Ａ】本発明の例示的実施形態による吸収性物品の外部表面の平面図である。
【図２Ｂ】本発明の別の例示的実施形態による吸収性物品の外部表面の平面図である。
【図２Ｃ】本発明の更に別の例示的実施形態による吸収性物品の外部表面の平面図である。
【図２Ｄ】本発明の更に別の例示的実施形態による吸収性物品の外部表面の平面図である。
【図２Ｅ】本発明の更なる例示的実施形態による吸収性物品の外部表面の平面図である。
【図２Ｆ】本発明の別の更なる例示的実施形態による吸収性物品の外部表面の平面図である。
【図２Ｇ】本発明の別の例示的実施形態による吸収性物品の内部表面の平面図である。
【図３】図２Ａの線Ａ−Ａに沿って切った断面図である。
【図４】本発明の例示的実施形態による、固定された形態にある吸収性物品の前部腰部分の簡略頂面図である。
【図５】吸収性物品が呈する保持力及び摩擦係数を測定するために使用される試験システムの概略図である。
【発明を実施するための形態】
【００３２】
本発明で使用する場合、「吸収性物品」という用語は、身体滲出物を吸収し且つ閉じ込めるデバイスを意味し、より具体的には、体から排出された種々の滲出物を吸収し且つ閉じ込めるために、着用者の体に接して又は近接させて配置されるデバイスを意味する。「使い捨て」という用語は、本明細書中では、洗濯される又は吸収性物品として別の手法で再生される若しくは再利用されることを意図せず、その代わりに、１回の使用後に廃棄され、好ましくは、リサイクルされる、コンポスト化(composted)される、又は別の環境に適合する手法で廃棄されることを意図した吸収性物品について記載するために使用される。
【００３３】
図１は、全体として参照符号１で示される吸収性物品の内側表面の等角図であり、図２Ａ〜図２Ｆは、本発明の例示的実施形態による吸収性物品の外部表面の平面図である。図１では、吸収性物品１の内部表面が上に向けられており、図２Ａ〜図２Ｆでは、吸収性物品１の外部表面が上に向けられている。
【００３４】
吸収性物品１はシャーシ２を有してもよく、シャーシ２は、前部腰部分１０と、背部腰部分２０と、前部腰部分１０と背部腰部分２０との間に延びるクロッチ部分３０と、を含む。シャーシ２は、吸収性物品１の長手方向（例えば、縦方向）に概ね延びる長手方向側縁部と、長手方向側縁部の間に、吸収性物品１の略横方向に延びる横端縁部と、を有する。
【００３５】
前部腰部分１０は前部腰弾性部１１を含んでもよく、背部腰部分２０は背部腰弾性部２１を含んでもよい。前部及び背部腰弾性部１１、２１は吸収性物品１の腰部に弾性を付与するため、吸収性物品１は着用者の腰の周りにぴったりとしたフィット性（ｓｎｕｇ  ｆｉｔ）を有してもよい。従来技術で周知のように、前部及び背部弾性部１１、２１は、前部及び背部腰部分１０、２０の横側縁部から横断方向に延びる１つ以上の長尺状の弾性要素で構成されていてもよい。他の実施形態では、前部腰部分１０又は背部腰部分２０のみが、伸縮性を持つ部分を含んでもよい。
【００３６】
弾性ストランド４２、５２をクロッチ部分３０の右脚及び左脚領域４０、５０の自由側縁部４４、５４に沿って配置し、ギャザーを設けてもよい。ギャザーは、着用者の股及び大腿の周りの密なフィット性をもたらすとともに身体滲出物の漏れを防ぐためのバリアとして機能する。弾性ストランド４２、５２は右脚及び左脚領域４０、５０の側縁部４４、５４全体に沿って延びてもいてよく、又はその一部分のみに沿って延びていてもよい。弾性ストランドの代わりに弾性フィルム又はリボンなどの別の弾性材料を使用してもよい。参照によって本明細書に組み込まれる米国特許第８，７９５，２５０号明細書に記載されているように、例示的実施形態では、弾性材料を、シャーシの側面に沿って長手方向に延びるレッグカフと併せて使用してもよい。
【００３７】
好適な実施形態では、後耳部１２、１４とも称される第１及び第２背部サイドパネルが、背部腰部分２０のシャーシ２の長手方向側縁部に取り付けられており、且つそこから外側に延びている。第１及び第２前耳部２２、２４が同様に、前部腰部分１０のシャーシ２の長手方向側縁部に取り付けられており、且つそこから外側に延びている。実施形態では、後耳部を前部腰部分に巻き付けて着用者に固定することができるように、後耳部は前耳部より大きくてもよい。固定タブ６２、６４などの固定部品が第１及び第２後耳部１２、１４に配置されていてもよく、第１及び第２後耳部１２、１４の外部側縁部を越えて延びてもよい。固定タブ６２、６４を用いて、着用者の腰の周りに吸収性物品を固定する。
【００３８】
固定タブ６２、６４は、ベース層６６及びファスナー要素６８を含んでもよい。ベース層６６は、例えば、不織材料層又は高分子材料層であってもよい。ベース層６６は任意の既知の取り付け方法、例えば、接着剤、超音波接合、熱接着等によって第１又は第２の側部後耳部１２、１４に取り付けてもよい。ファスナー要素６８は、任意の好適な種類のメカニカルファスナー、例えば、テープ、接着剤、フックファスナー、ループファスナー、スナップファスナー、ボタン等であってもよい。ファスナー要素６８は、前部腰部分１０の、又はあるいは、第１前耳部２２若しくは第２前耳部２４のランディングゾーン(landing zone)即ち協働ファスナー６９に取り付けてもよい。例えば、フックファスナーの場合、ランディングゾーン即ち協働ファスナー６９は、ループ材料又は不織材料のストリップであってもよい。しかしながら、ファスナー要素６８はまた、前部腰部分１０又は第１若しくは第２前耳部２２、２４の外部不織表面と直接係合するように適合されてもよく、したがって、ランディングゾーン即ち協働ファスナーを必要としないこともある。
【００３９】
吸収性物品は、例示的実施形態によれば、少なくとも、第１前耳部２２の外側に面する部分に沿って配置された第１すべり止め要素７２と、少なくとも、第２前耳部２４の外側に面する部分に沿って配置された第２すべり止め要素７４と、を更に含む。すべり止め要素７２、７４は、前耳部の外部表面と対応する後耳部又は背部腰部分の内部表面との間に摩擦を実現し、着用されているときの着用者における吸収性物品のずれを最小限にするように設計されている。例示的実施形態では、第１及び第２すべり止め要素７２、７４は、第１及び第２前耳部２２、２４の実質的に頂部から底部まで略垂直方向に配置されている。更に、すべり止め要素７２、７４の一方若しくは両方は、対応する前耳部２２、２４の全幅に延びていてもよく、又は典型的な乳児用おむつの場合はより狭い幅、若しくは成人用おむつの場合はより広い幅に幅が限定されていてもよい。いくつかの実施形態では、すべり止め要素は図２Ａに示されるように直線で配置されてもよい。別の実施形態では、すべり止め要素は、例えば、他の形状又はパターンで、例えば、第１及び第２前耳部２２、２４上において略垂直方向に、正弦波形状又はジグザグ形状で配置されていてもよい。図２Ｂは、正弦波的な形状のすべり止め要素７２’、７４’を有する別の実施形態の一例を示す。図２Ｃは、ジグザグ形状のすべり止め要素７２”、７４”を有する別の実施形態を示す。実施形態では、すべり止め材料は吸収性物品に適用されていてもよく、又は吸収性物品と一体形成されていてもよい。
【００４０】
図１及び図２Ａ〜図２Ｃに示される本発明による実施形態は弾性部を含む。しかしながら、本発明による実施形態は弾性部を含む必要はない。
【００４１】
図２Ｄ〜図２Ｆは、本発明の異なる実施形態による、吸収性物品の前耳部２２、２４の外側に面する部分のすべり止め要素の種々の代替的実施形態の平面図を示す。図２Ｄ〜図２Ｆに示される実施形態は弾性部を含んでも含まなくてもよい。理解を容易にするために、これらの実施形態では弾性部を図示しない。
【００４２】
その内部表面を下にして平らに置かれた吸収性物品の平面図を示す図２Ｄの実施形態では、すべり止め要素７２Ｄ、７４Ｄは前耳部それぞれの外部表面上に単一のストリップとして形成されており、これは図２Ａに示される実施形態のすべり止め要素７２、７４の配置に類似している。
【００４３】
図２Ｅは、吸収性物品の前耳部２２、２４のすべり止め要素７２Ｅ、７４Ｅがそれぞれ、前耳部の縁部の近傍において実質的に垂直に延びる一連の３つの実質的に平行なストランド７２Ｅ１、７２Ｅ２、７２Ｅ３、７４Ｅ１、７４Ｅ２、及び７４Ｅ３から形成されたものとして示されているという点において図２Ｄとは異なる別の実施形態を示す。これらのストランドは、互いに均等又は不均等な間隔で配されてもよく、且つ等しい又は等しくない幅のものであってもよい。
【００４４】
図２Ｆは、吸収性物品の前耳部のそれぞれがすべり止め要素７２Ｆ、７４Ｆを含む吸収性物品の別の実施形態を示す。すべり止め要素７２Ｆ、７４Ｆは、各すべり止めストリップの長さに沿って形成されたすべり止め材料の対角線縞を有する。
【００４５】
図２Ｇは、本発明による吸収性物品の実施形態の内部表面を示す。本実施形態では、着用されているときの吸収性物品の望ましくないずれを防ぐために、すべり止め要素７６、７８が対応する固定タブ６２、６４それぞれの内部表面上に形成されていてもよい。固定タブ上のファスナー要素６８に加え、すべり止め要素７６、７８が存在する。すべり止め要素７６、７８は、例えば図２Ａ〜図２Ｆに示す実施形態の前耳部の外部表面上のすべり止め要素の任意の変形形態と併せて存在してもよい。あるいは、すべり止め要素７６、７８は前耳部上のすべり止め要素の代わりに使用してもよい。前耳部の内部表面と着用者との間に摩擦を得、着用されているときの着用者上における吸収性物品のずれを最小限にするために、すべり止め要素７２、７４、７６、７８の１つ以上の代わりに又はそれに加えて、すべり止め要素７９、８０が前耳部２２、２４の内部表面上に含まれていてもよい。
【００４６】
すべり止め要素の特定の変形形態を上図中に示してきたが、本発明によるすべり止め要素は図示実施形態のいずれか１つに限定されない。
【００４７】
すべり止め要素は、前耳部２２若しくは２４又は固定タブの長さの約２５％〜１００％に概ね延びていてもよく、前耳部２２若しくは２４の外部及び／若しくは内部表面、又は固定タブ６２、６４の内部表面の面積の約１０％〜１００％を概ね覆っていてもよい。例示的実施形態では、すべり止め要素は、好ましくは、幅約５〜２５ｍｍ（吸収性物品の大きさに依存してもよい）であってもよく、且つ前耳部の外部及び／若しくは内部表面、又は固定タブの内部表面の長さの約２５〜１００％を覆っていてもよい。
【００４８】
すべり止め要素は前耳部若しくは固定タブ材料と一体形成されていてもよく、又は接着剤、超音波接合若しくは他の接合方法などによって前耳部若しくは固定タブに取り付けられていてもよい。前耳部又は固定タブ自体をおむつ主要シャーシに取り付けることができる、又は物品の本体に組み込んでもよい。
【００４９】
実施形態では、すべり止め要素（又はその変形形態）は、Ｈｏｕｓｔｏｎ、ＴＸ、ＵＳＡに所在のＫｒａｔｏｎ  Ｐｏｌｙｍｅｒｓ  ＬＬＣによるＫｒａｔｏｎ（登録商標）エラストマーなどのすべり防止材料、又は例えば、前耳部の外に面する若しくは内に面する表面、即ち、吸収性物品を覆っている着用者の外衣に面する若しくは着用者の皮膚に面する表面、若しくは固定タブの内に面する表面に適用される別の高摩擦係数材料を含む。
【００５０】
すべり止め要素自体は、他の表面に取り付けるフック又はその他の固定要素を含まないことが好ましい。
【００５１】
図３は、図２Ａの線Ａ−Ａに沿って切った吸収性物品１の実施形態の断面図を示し、特に、第１及び第２前耳部２２、２４、固定タブ６２、６４、すべり止め要素７２、７４、及びランディングゾーン６９を備えるシャーシ２の前部腰部分１０の断面図を示す。図３は、バックシート７０と、トップシート９０と、バックシート７０とトップシート９０との間に配置された吸収性コア８２と、吸収性コア８２とトップシート９０との間に配置された獲得／分配層（ＡＤＬ）８４と、を含む、シャーシ２の可能な層状構造も示す。図４に示すように、後及び前耳部１２、１４、２２、２４は、バックシート７０とトップシート９０との間の、背部腰部分２０及び前部腰部分１０の対応部分に取り付けてもよく、概して、後及び前耳部１２、１４、２２、２４の間に吸収性コア８２又はＡＤＬ８４はない。実施形態では、前及び後耳部１２，１４、２２、２４の対の一方又は両方は、バックシート７０又はトップシート９０から一体形成されていてもよい。
【００５２】
図４に示すように吸収性物品がおむつ形態である例示的実施形態では、吸収性物品１は、第１及び第２後耳部１２、１４の固定タブ６２、６４を前部腰部分１０に取り付けることにより着用者の腰の周りにしっかりと固定されてもよい。固定タブ６２、６４が前部腰部分１０に取り付けられる位置は、例えば、おむつの潜在的ユーザの腰のサイズが異なる可能性があること、並びにおむつのサイズ及び形態のために様々であってもよい。したがって、すべり止め部品７２、７４が存在する場合、前耳部２２、２４上の第１及び第２のすべり止め部品７２、７４の外部表面（例えば、バックシート７０）は後耳部１２、１４、背部腰部分２０のいずれか、又はその両方の内部表面と強化された摩擦接触を行う。いずれにせよ、おむつが固定された形態にあるとき、すべり止め要素７２、７４の外部表面の比較的大きな摩擦係数によって望ましくないおむつのずれを制限することで、物品は着用者に全般的により良好にフィットする。この図に示される実施形態では、固定タブ上のすべり止め要素７６、７８は任意として破線で示されている。存在する場合、すべり止め要素７６、７８もまた望ましくないおむつのずれを制限する。
【００５３】
トップシート９０は、液体の通過を可能にする当該技術分野において現在知られている又は後に発見される任意の適切な比較的液体透過性の材料で作製されていてもよい。トップシート９０は、通常、着用者の皮膚と接触するため、ヒトの皮膚に優しい材料で作製されていることが好ましい。適切なトップシート材料の例としては、ポリプロピレン、ポリエチレン、ナイロン、ポリエステル、及びこれらの材料のブレンドの不織、スパンボンド(spun-bonded)若しくは毛羽立て加工ウェブ(carded webs)、又は有孔、開口若しくは網状フィルム等が挙げられる。不織材料は例示である。なぜなら、このような材料は、下にある獲得／分配層８４に、及び獲得／分配層８４を通して吸収性コア８２に液体を通過させることを容易に可能にするからである。トップシート９０は単プライ(single ply)の不織材料で形成されていることが好ましく、不織材料は、熱的に結合された、スパンボンド加工された、スパンレース加工された、水流交絡加工された(hydroentangled)、若しくはこれらを組み合わせた、ポリプロピレン、ポリエチレン、ポリエチレンテレフタレート（ＰＥＴ）、ポリラクチド（ＰＬＡ）、ナイロン、ポリエステル、及びこれらの材料のブレンド、又はスパンボンド−メルトブローン−スパンボンド（ＳＭＳ）不織布などの不織材料の複合体を含む繊維で作製されていてもよい。例えば、不織材料は、１平方メートル当たり約８〜３０グラムの坪量を有し得るとともに、ヒトの皮膚と接触する用途においてトップシートとして使用するための適切な強度及び柔軟性を有し得る。水分がトップシート９０を通過し、獲得／分配層８４及び吸収性コア８２に入ることを促すために、トップシート９０は表面全体又は表面の一部を界面活性剤で処理し、親水性にしてもよい。本発明は、トップシート９０の任意の特定の材料に限定されることを意図するものではなく、当業者には他のトップシート材料が容易に明らかとなろう。
【００５４】
獲得／分配層８４は、合成若しくは天然材料、又は両者の組み合わせで作製された単一層若しくは複数層、又は単一の多層開口フィルムであってもよい。獲得／分配層８４は、排出された体液を吸収性コア８２へと素早く回収し、分配するように機能する。このような流体は通常、勢いよく排出されることから、流体排出箇所に近接する吸収性コア８２の領域はその量に圧倒される可能性があり、漏れが生じる。したがって、獲得／分配層８４は、流体を排出箇所から獲得／分配層８４の表面積全体に輸送し、流体がより速やかに吸収され得る吸収性コア８２の他の部分への接触を促進する。獲得／分配層の使用は当該技術分野において周知である。したがって、吸収性物品１の獲得／分配層８４は任意の周知の又は未だ未発見の構造を有していてもよい。
【００５５】
吸収性コア８２は、尿及びある種の他の身体滲出物などの液体を吸収し保持することが可能であり、液体が着用者を何度も濡らすこと又はそうでなければ吸収性物品から漏れることのいずれかを防止することを補助する任意の吸収性材料であってもよい。吸収性材料は、概して、圧縮可能であり、着用者の体の形状に適合可能であってもよく、着用者の通常の動作を妨げるべきではない。吸収性コア８２は、多種多様な大きさ及び形状（例えば、矩形、砂時計のようにくびれた形、「Ｔ」字形、非対称等）で、使い捨ておむつ及び他の吸収性物品に一般に用いられる多種多様な液体吸収性材料から製造されてもよい。適切な吸収性材料の例としては、木材パルプ毛羽、捲縮セルロース塊(creped cellulose wadding)、メルトブローンポリマー、化学的に剛化、変性又は架橋されたセルロースファイバー、ティッシュラップ及びティッシュラミネートを含むティッシュ、吸収性フォーム、吸水性スポンジ、超吸収性ポリマー（ＳＡＰ）、吸収性ゲル材料若しくは任意の類似の吸収性材料、又は材料の組み合わせが挙げられる。
【００５６】
吸収性コア８２の形態及び構造もまた様々であってもよい。例えば、吸収性コアは、様々なキャリパーゾーン、親水性勾配、吸収性ゲル材料勾配、より低い平均密度及びより低い平均坪量の獲得ゾーンを有してもよい、又は１つ以上の層若しくは構造体（例えば、シート若しくはウェブ）を含んでもよい。加えて、各層は単一の一体材料片で形成される必要はなく、互いに流体連通する限り、長さ方向若しくは幅方向に接合された、いくつかの小さなストリップ又は部品で形成してもよい。しかしながら、吸収性コア８２の総吸収能力は設計負荷及び吸収性物品１の使用目的に適合すべきである。更に、吸収性コア８２の大きさ及び吸収能力は乳児から成人までの範囲の着用者に適応するよう様々であってもよい。
【００５７】
バックシート７０は、液体不透過性材料で作製されていてもよく、又は１層が液体不透過性である複数層を含んでもよい。例えば、バックシート７０は、適切に柔軟で且つ液体不透過性のフィルムの内層と、液体及び／又は蒸気透過性材料の外層と、を含んでもよい。バックシート７０の内層の典型的な材料としては、ポリエチレン、ポリプロピレン、ポリエステル、ナイロン、及びポリ塩化ビニル（ＰＶＣ）、並びにこれらの材料のブレンドのフィルムが挙げられる。例えば、内層は、約０．４〜２．０ミルの範囲の厚さを有するポリエチレンフィルムで作製されていてもよい。他の内層材料は当業者には容易に明らかであり得る。バックシート７０の内層は、流体のあらゆる漏れを防ぐほど十分な液体不透過性を有することが好ましい。バックシート７０の外層は、トップシートが選択される材料群と同じ材料群から選択され得る液体及び／又は蒸気透過性材料で作製されていてもよい。外層は、例えば、１平方メートル当たり約５〜４５グラムの坪量を有してもよい。しかしながら、トップシート９０とは異なり、バックシート７０の外層に使用される材料は、トップシート９０に関して上述した界面活性剤を省略することによって疎水性にされることが好ましい。バックシート７０の外層は、熱接着、化学的接着、スパンボンディング、及び水流交絡などの周知の方法によって、又はスパンボンディングと水流交絡との組み合わせによって製造されてもよい。
【００５８】
第１及び第２前耳部２２、２４並びに第１及び第２後耳部１２、１４は、不織布、フィルム、又はこれらの組み合わせで作製されていてもよい。第１及び第２前耳部２２、２４並びに第１及び第２の耳部１２、１４は、空気及び／若しくは水蒸気の透過性、弾性、流体透過性、柔軟性、又は耳部を形成するために使用される特定の材料及び構造に応じた任意の他の所望の特性を変化させるように作製されていてもよい。いくつかの例示的実施形態では、第１及び第２前耳部２２、２４並びに／又は第１及び第２後耳部１２、１４は、非弾性材料、任意の方向に伸縮可能な弾性材料、又はこれらの組み合わせで作製されていてもよい。いくつかの例示的実施形態では、第１及び第２前耳部２２、２４は、吸収性物品の適用における指示を与えるための印を含んでもよい。
【００５９】
本発明の実施形態による吸収性物品は、吸収性物品が着用されている最中の吸収性物品のずれを排除に対する大幅な改良を実現することが示された。特に、従来の吸収性物品の前耳部の対照サンプルの保持力を、本発明による吸収性物品の前耳部の高摩擦係数（高ＣｏＦ）サンプルの保持力と比較した。本発明による高ＣｏＦ前耳部サンプルは、従来の吸収性物品の対照前耳部サンプルの少なくとも２倍の保持力、したがって、２倍の摩擦係数をもたらすことが示された。
【００６０】
対照前耳部サンプルは、Ｆｉｒｓｔ  Ｑｕａｌｉｔｙ  Ｎｏｎｗｏｖｅｎｓ、Ｉｎｃ．により製造されている、識別番号ＮＷＮ０２１３を持つ３０ｇｓｍ、ＳＭＳ不織布、ＰＩＬＬＯＷ  ＢＯＮＤ材料で作製した。対照前耳部サンプルは６５ｍｍの長さ及び４５ｍｍの幅を有していた。
【００６１】
高ＣｏＦ前耳部サンプルは、Ｆｉｒｓｔ  Ｑｕａｌｉｔｙ  Ｂａｂｙ  Ｐｒｏｄｕｃｔｓの、４０ｇｓｍ、ＳＭＳ不織布、ＰＩＬＬＯＷ  ＢＯＮＤ材料で作製した。高ＣｏＦ前耳部サンプルも６５ｍｍの長さ及び４５ｍｍの幅を有していた。高ＣｏＦ前耳部サンプルは、更に、６５ｍｍの長さ（即ち、ストリップは高ＣｏＦサンプルの全長に延びていた）及び１０ｍｍの幅を有するすべり止め材料のストリップを含んでいた。すべり止め材料は、Ｖｅｌｃｒｏ  Ｃｏｍｐａｎｉｅｓによって製造され、識別番号ＣＦＭ♯４１−８２０６を持つエラストマーであった。
【００６２】
対照サンプル及び高ＣｏＦサンプルを両者とも、Ｂｌｕｅｈｉｌｌ（登録商標）Ｓｏｆｔｗａｒｅを備える型番３３４３／Ｑ７０６６試験システム、型番２８１０−００５  Ｃｏｅｆｆｉｃｉｅｎｔ  ｏｆ  Ｆｒｉｃｔｉｏｎ  Ｆｉｘｔｕｒｅ（プルコード、摩擦テーブル、及び重さ２００ｇの摩擦スレッドを含む）、及び試験中に測定される力のための適切な定格を有するロードセルにおいて試験した。試験中に使用した機器はすべて、ＩＮＳＴＲＯＮ（登録商標）によって製造されたものである。試験は、内容全体を参照により本明細書中に組み込むＦｉｒｓｔ  Ｑｕａｌｉｔｙ  Ｂａｂｙ  Ｐｒｏｄｕｃｔｓの文書番号ＦＱＢ  ＰＤ−０６３．０に従い実施した。
【００６３】
試験システム１００の概略図を図６に示す。試験の第１部では、弾性後耳部材料１０２のサンプルを、テープ１０６を用いて完全に平坦な状態で試験システム１００の摩擦テーブル１０４上に固定した。後耳部材料１０２のサンプルは、ＡＰＬＩＸ（登録商標）により製造され、製品番号ＡＨ２１Ｒ０１５０Ｌ０１０３４Ｘ０２４５を持つＥＦＴ弾性ラミネートで作製した。
【００６４】
次いで、前耳部材料１０８の対照サンプルを、テープ１０６を用いて摩擦スレッド１１０に固定した。後耳部及び前耳部材料１０２、１０８のサンプルをそれぞれ摩擦テーブル１０４及び摩擦スレッド１１０に貼るために使用してもよいテープの種類は当業者には周知であり、したがって、本明細書中ではこれ以上記載しない。
【００６５】
次いで、摩擦スレッド１１０をプルコード１１２に取り付け、摩擦テーブル１０４上の開始位置に置いた。この摩擦スレッド１０４の配置は、２つのサンプル１０２、１０８間にあらゆる不自然な結合が生じるのを防ぐために非常に軽く且つ穏やかに行った。プルコード１１２がぴんと張られたと判定されると、Ｂｌｕｅｈｉｌｌ（登録商標）Ｓｏｆｔｗａｒｅにより与えられた指示に従い、摩擦テーブル１０４に沿って摩擦スレッド１１０を１５０ｍｍ／分の速度で引くことにより試験を実施した。対照前耳部材料１０８及び弾性後耳部材料１０２の各合計５つのサンプルに試験を実施した。
【００６６】
吸収性物品の不織カフ及び内部横縁部に使用される材料１１４のサンプルに対する、前耳部材料１０８の対照サンプルの試験も実施した。このカフ材料１１４のサンプルはＦｉｒｓｔ  Ｑｕａｌｉｔｙ  Ｎｏｎｗｏｖｅｎｓ，Ｉｎｃ．により製造された、識別番号ＮＷＮ０７４３を持つ１５ｇｓｍ、ＳＭＳ不織材料で作製した。弾性後耳部材料１０２に関する試験と同様に、対照前耳部材料１０８及びカフ材料１１４の合計５つのサンプルに試験を実施した。
【００６７】
上記の試験を、その後、上記の弾性後耳部材料１０２及びカフ材料１１４両方に対する高ＣｏＦ前耳部サンプル１１６について繰り返した。試験結果の概要を、以下、表１及び表２に示す。
【００６８】
【表１】
2018518321.tif 000003
【００６９】
【表２】
2018518321.tif 000004
【００７０】
表１及び表２に示すように、各試験材料の組み合わせの５つの試験サンプルの平均結果に基づくと、本発明の実施形態による高ＣｏＦ前耳部サンプル１１６は、前耳部１０８の対照サンプルの少なくとも２倍の保持力（したがって、少なくとも２倍の摩擦係数）を示した。特に、前耳部１０８の対照サンプルのわずか９０ｇｆと比較して、高ＣｏＦ前耳部サンプル１１６は弾性後耳部材料１０２に対し２２０ｇｆの平均動的力（即ち、２．４倍の保持力）を示した。同様に、前耳部１０８の対照サンプルのわずか６０ｇｆと比較して、高ＣｏＦ前耳部サンプル１１６はカフ材料１１４に対し１２０ｇｆの平均動的力（即ち、２倍の保持力）を示した。
【００７１】
本発明者は更に、本発明の実施形態による吸収性物品により示される保持力及び摩擦係数の増加はこれら吸収性物品の劣化による影響を受けないと結論付けた。
【００７２】
本発明の実施形態を示し、詳細に記述してきたが、本発明の種々の修正及び改良は当業者には即座に明らかとなり得る。したがって、上述の例示的な本発明の実施形態は例証的であり限定的でないものとする。本発明の趣旨及び範囲は広く解釈される。
【図１】
2018518321.tif 000005
【図２Ａ】
2018518321.tif 000006
【図２Ｂ】
2018518321.tif 000007
【図２Ｃ】
2018518321.tif 000008
【図２Ｄ】
2018518321.tif 000009
【図２Ｅ】
2018518321.tif 000010
【図２Ｆ】
2018518321.tif 000011
【図２Ｇ】
2018518321.tif 000012
【図３】
2018518321.tif 000013
【図４】
2018518321.tif 000014
【図５】
2018518321.tif 000015
【国際調査報告】
2018518321.tif 000016